(57)【要約】      （修正有）【課題】ガン玉自動装填装置を提供する。【解決手段】ガン玉自動装填装置は、ベース１０と上蓋と押し板と自動カセットモジュール１３と搬送モジュールとボルト部材とを備える。ベース１０は、設置部とレールとシュートと位置決め用ピンと挟持台と対応台と抑圧用溝部１０６とを有し、自動カセットモジュール１３及び搬送モジュールが設置される。前記上蓋は凹設部を有し、押し板を設置させ、前記押し板は複数の貫通孔を有し、前記押し板は一端から抑圧部材が延伸される。自動カセットモジュール１３はガン玉保存カセット１３０及び弾性プッシュモジュール１３１を有し、前記搬送モジュールは搬送ロッド部材と、位置決め部材と、プッシュロッドとを有し、前記ボルト部材は全体の部材を固持させる。本考案はカセットモジュールを複数のガン玉２の保存及び自動的に当接させるモジュールとしてガン玉２を装填させて搬送モジュールに入れ、ガン玉２が自動的に準備状態となる。【選択図】図３
0003210851.tif 000002
【実用新案登録請求の範囲】
【請求項１】
設置部と、レールと、シュートと、位置決め用ピンと、挟持台と、対応台と、抑圧用溝部とを有し、ガン玉カセットモジュール及び搬送モジュールを設置させ、且つ上蓋に対応するベースと、
凹設部を有すると共に押し板が設置され、且つベースに対応させ、前記押し板は複数の貫通孔を有し、且つ上蓋に対応させる上蓋と、
一端から抑圧部材が延伸され、且つ上蓋の凹設部に対応させる押し板と、
ガン玉保存カセット及び弾性プッシュモジュールを有し、前記ガン玉保存カセットは設置部と、レールと、位置決め部と、突起部とを有し、ベースの設置部に対応させ、前記弾性プッシュモジュールはベースの抑圧用溝部の間に対応させる自動カセットモジュールと、
搬送ロッド部材と、位置決め部材と、プッシュロッドとを有し、前記搬送モジュールは相互に重畳されてベースの位置決め用ピンの間に貫設され、且つベースのシュートの箇所に設置される搬送モジュールと、
押し板と上蓋との間に貫設され、且つベースの対応台の間に螺着されるボルト部材とを備えるガン玉自動装填装置であって、
前記自動カセットモジュールの弾性プッシュモジュールは、案内固持部材と、２つのスプリングと、押止部と、ガン玉装填部材とを含み、前記弾性プッシュモジュールはガン玉保存モジュールに対応させ、前記ガン玉装填部材はベースとガン玉保存滑動部材のレールとの間に跨設され、前記スプリングによりガン玉装填部材がレールに沿って一端に向けて当接されるように抑圧され、前記ガン玉が搬送モジュールの間に自動的に輸送され、ガン玉が自動的に準備状態となり、ガン玉の使用上の利便性が向上することを特徴とするガン玉自動装填装置。
【請求項２】
前記ベースの設置部はガン玉カセットモジュールが嵌設されることを特徴とする、請求項１に記載のガン玉自動装填装置。
【請求項３】
前記ベースのシュートは搬送モジュールが設置され、且つ搬送モジュールの位置決め部材はベースの位置決め用ピンを軸として回転を行い、ガン玉が精確に定位されると共に輸送されることを特徴とする、請求項１に記載のガン玉自動装填装置。
【請求項４】
前記ベースの挟持台の両側にはボスを有し、前記ボス及びベースの側壁面には溝部が形成され、且つ釣り糸が設置されることを特徴とする、請求項１に記載のガン玉自動装填装置。
【請求項５】
前記ガン玉カセットモジュールのガン玉保存カセットは収納部及びレールを有し、前記収納部は複数のガン玉が貫設され、且つ前記レールにはガン玉装填部材が嵌設され、前記ガン玉装填部材は抑圧部と、プッシュ部と、凹部とを有し、前記抑圧部によりガン玉が装填され、前記プッシュ部は指で接触され、前記凹部にはガン玉保存カセットのレール及びベースに対応するレールが嵌設されることを特徴とする、請求項１に記載のガン玉自動装填装置。
【請求項６】
前記搬送モジュールの搬送ロッド部材は結合台と、第一合板と、第二合板とを有し、ガン玉を輸送させると共に狭着させ、搬送ロッド部材及び位置決め部材によりガン玉が定位され、且つ押し板により搬送ロッド部材の第一合板が抑圧され、第二合板座の挟持動作と組み合わせられることにより、ガン玉が釣り糸に対して狭着されることを特徴とする、請求項１に記載のガン玉自動装填装置。
【考案の詳細な説明】
【技術分野】
【０００１】
本考案は、ガン玉自動装填装置に関し、更に詳しくは、自動カセットモジュールに関し、前記モジュールはガン玉保存カセット及び弾性プッシュモジュールを有し、弾性プッシュモジュールによりガン玉が自動装填方式で搬送モジュールの間に輸送され、ガン玉の輸送速度を速め、ガン玉の狭着効率及び精確性を向上させ、携帯及び操作の利便性を提供する。
【背景技術】
【０００２】
忙しく過ごした後にとる休息において、生活の上での様々な挑戦に備え、活力を得るために、リラックスして過ごす際にできるレジャーの種類も多く、例えば家族旅行、ボール運動、自転車、ハイキング、釣り等がある。人々は趣味に合わせて多くのレジャーから自分に合ったものを選び、同じ趣味をもった者と一緒に学び、話し合いを重ねて互いを鼓舞している。そして、釣りは台湾において多くの人が熱狂するレジャーであり、釣りは釣竿、釣り糸、餌、鉛の重り、浮き等を釣り場の環境及び魚の種類に合わせて選択して組み合わせるが、当然ながら忍耐力と経験を持ち合わせ、環境を観察できなければ収穫を得られなかった。
【０００３】
なお、釣りの鉛の重りも非常に重要であり、水深に合わせて適度な重量のものを選び、浮き及び釣り糸の反応の精度を高め、釣り人が確実に魚を吊れるようにする。鉛の重りは「ガン玉」と俗称され、狭着方式で釣り糸の間に固定され、重量の必要性に応じて複数の重りが狭着されて使用される。
【考案の概要】
【考案が解決しようとする課題】
【０００４】
しかしながら、従来のガン玉は球形であり、一側には溝が形成され、且つ重量の違いに基づいて直径も変わり、狭着時には指で狭着させるか、狭着器で狭着させねばならない。狭着器は補助工具となるが、ガン玉の体積は非常に小さく、且つガン玉の溝は細いため、素早く精確に釣り糸の間に狭着させるのは難しかった。また、前記ガン玉は散らばりやすいため、取り出して使用するのが難しかった。
【０００５】
また、特許文献１に記載されている魚釣り用ガン玉カセット装置は、前記カセットはガン玉が収蔵される複数の収蔵室、及びガン玉が狭装されるＵ字型の狭装装置が設置され、一側の開口部がＵ字型に設けられ、狭装装置がガン玉を釣り糸の間に狭着させるための変形の裕度を有する。前記装置は手動でガン玉を１つ１つ設置させてから狭着させねばならず、その過程は煩雑で効率が悪く、前述の従来の狭着器及び前案のガン玉装置の実施方式の欠点を勘案して、本出願者はガン玉を自動装填方式で搬送モジュールの間に輸送させ、ガン玉の輸送速度を速め、ガン玉の狭着効率及び精確性を高め、携帯及び操作の利便性を更に有する本考案の提案に到った。
【課題を解決するための手段】
【０００６】
上述した課題を解決し、目的を達成するために、本考案に係るガン玉自動装填装置は、
設置部とレールとシュートと位置決め用ピンと挟持台と対応台と抑圧用溝部とを有し、ガン玉カセットモジュール及び搬送モジュールを設置させ、且つ上蓋に対応するベースと、
凹設部を有すると共に押し板が設置され、且つベースに対応させ、前記押し板は複数の貫通孔を有し、且つ上蓋に対応させる上蓋と、
一端から抑圧部材が延伸され、且つ上蓋の凹設部に対応させる押し板と、
ガン玉保存カセット及び弾性プッシュモジュールを有し、前記ガン玉保存カセットは設置部と、レールと、位置決め部と、突起部とを有し、ベースの設置部に対応させ、前記弾性プッシュモジュールはベースの抑圧用溝部の間に対応させる自動カセットモジュールと、
搬送ロッド部材と、位置決め部材と、プッシュロッドとを有し、前記搬送モジュールは相互に重畳されてベースの位置決め用ピンの間に貫設され、且つベースのシュートの箇所に設置される搬送モジュールと、
押し板と上蓋との間に貫設され、且つベースの対応台の間に螺着されるボルト部材とを備えるガン玉自動装填装置であって、
前記自動カセットモジュールの弾性プッシュモジュールは、案内固持部材と２つのスプリングと押止部とガン玉装填部材とを含み、前記弾性プッシュモジュールはガン玉保存モジュールに対応させ、前記ガン玉装填部材はベースとガン玉保存滑動部材のレールとの間に跨設され、前記スプリングによりガン玉装填部材がレールに沿って一端に向けて当接されるように抑圧され、前記ガン玉が搬送モジュールの間に自動的に輸送され、ガン玉が自動的に準備状態となり、ガン玉の使用上の利便性が向上することを特徴とする。
【先行技術文献】
【特許文献】
【０００７】
【特許文献１】台湾実用新案第１２０５３４号公報
【０００８】
そこで、本考案者は上記の欠点が改善可能と考え、鋭意検討を重ねた結果、合理的かつ効果的に課題を改善する本考案の提案に到った。
【０００９】
本考案は、以上の従来技術の課題を解決する為になされたものである。即ち、本考案は、ガン玉自動装填装置を提供することを目的とする。前記自動カセットモジュールはガン玉保存カセット及び弾性プッシュモジュールを有し、弾性プッシュモジュールによりガン玉保存カセットの間のガン玉が自動的に一端に当接されて移動され、極めて高い実用性を有する。
【００１０】
本考案の他の目的は、ガン玉自動装填装置を提供することである。前記ガン玉はカセットモジュールにより保存される。次いで、搬送モジュールによりガン玉の溝が釣り糸に対応させるように狭着され、極めて精確で使用効率が高い。
【００１１】
本考案のさらなる他の目的は、ガン玉自動装填装置を提供することである。ガン玉を輸送させて狭着させる搬送モジュールを有し、前記搬送ロッド部材及び位置決め部材によりガン玉が定位され、且つ押し板により搬送ロッド部材が抑圧され、ガン玉が釣り糸に対して狭着され、使用効率が高まる。
【図面の簡単な説明】
【００１２】
【図１】本考案に係るガン玉自動装填装置を示す外観斜視図である。
【図２】本考案に係るガン玉自動装填装置を示す展開図である。
【図３】本考案に係るガン玉自動装填装置の自動カセットモジュールを示す概略図である。
【図４】本考案に係るガン玉自動装填装置のガン玉保存カセット及び搬送モジュールの作動を示す概略図である。
【図５】本考案に係るガン玉自動装填装置の搬送モジュールを示す概略図である。
【図６】本考案に係るガン玉自動装填装置の搬送モジュールの作動を示す概略図である。
【図７】本考案の好ましい実施形態に係るガン玉自動装填装置のガン玉挟持を示す概略図である。
【図８】本考案の好ましい実施形態に係るガン玉自動装填装置のガン玉挟持を示す概略図である。
【考案を実施するための形態】
【００１３】
以下、図面を参照して本考案に係るガン玉自動装填装置の実施形態について説明する。尚、以下に説明する実施の形態は、実用新案登録請求の範囲に記載された本案の内容を限定するものではない。また、以下に説明される構成の全てが、本考案の必須要件であるとは限らない。
（実施形態）
【００１４】
以下、本考案の実施形態について、図面を参照しながら説明する。本考案のガン玉自動装填装置１は、ベース１０と上蓋１１と押し板１２と自動カセットモジュール１３と搬送モジュール１４とボルト部材１５とを備える（図１乃至図４参照）。
【００１５】
前記ベース１０は、設置部１００とレール１０１とシュート１０２と位置決め用ピン１０３と挟持台１０４と対応台１０５と抑圧用溝部１０６とを有する。前記設置部１００は、ガン玉カセットモジュール１３のガン玉保存カセット１３０に対応させる空間を有し、且つ前記設置部１００の一端には切欠き１００１が形成され、切欠き１００１の側部には位置決め用ボス１０００が形成される。前記切欠き１００１及びボス１０００には自動カセットモジュール１３のガン玉保存カセット１３０の突起部１３０３及び位置決め部１３０２が対応させるように定位される。前記レール１０１は設置部１００の一側の弧状壁面に位置される。自動カセットモジュール１３のガン玉保存カセット１３０が設置部１００に設置されると、前記自動カセットモジュール１３の弾性プッシュモジュール１３１のガン玉装填部材１３１１の凹部１３１１２が対応するように嵌設される。前記シュート１０２はベース１０の中心箇所に設置され、一側には開口部が形成されると共に挟持台１０４に対応させ、シュート１０２には搬送モジュール１４が対応するように設置される。前記位置決め用ピン１０３はシュート１０２の閉鎖端の一側に形成され、且つ搬送モジュール１４の位置決め部材１４１の軸穴１４１０が対応するように貫設される。前記挟持台１０４はベース１０の一側に形成され、中心部はシュート１０２が貫通させることにより左右に区画され、前記挟持台１０４は隅箇所にボス１０４０が形成され、前記ボス１０４０及び一側の壁部１０４１にはスリットｂが形成され、前記スリットｂには釣り糸が貫設される。前記対応台１０５はシュート１０２とレール１０１との間に周設され、円環の間に布設される複数の螺旋穴付スタッド１０５０を有し、前記螺旋穴付スタッド１０５０には上蓋１１の貫通孔１１００及びボルト部材１５が対応し合って螺合される。前記抑圧用溝部１０６は環状の凹型溝であり、且つレール１０１と対応台１０５との間に形成され、自動カセットモジュール１３の弾性プッシュモジュール１３１が内設される。前記環状の抑圧用溝部１０６の両端部には嵌合部Ｃ１及び嵌合部Ｃ２がそれぞれ形成され、前記嵌合部Ｃ１、Ｃ２には弾性プッシュモジュール１３１の案内固持部材１３１０の両端部が対応するように固持されて嵌設される。
【００１６】
前記上蓋１１は環状に近似する板体であり、中心部には柄状の凹設部１１０が形成され、前記凹設部１１０の間には矩形の穿設部１１０１及び複数の貫通孔１１００が形成される。前記穿設部１１０１は搬送モジュール１４のプッシュロッド１４２に対して設置され、前記貫通孔１１００はベース１０の螺旋穴付スタッド１０５０及び押し板１２の貫通孔１２１に対応させ、前述の凹設部１１０は押し板１２に対応するように設置される。
【００１７】
前記押し板１２は柄状の板体として上蓋１１の凹設部１１０の間に対応するように形成され、一端からは鉤状の抑圧部材１２０が延伸され、且つ押し板１２の間には複数の貫通孔１２１及び矩形の中空部１２２が形成される。前記抑圧部材１２０は搬送モジュール１４の搬送ロッド部材１４０に対応させて抑圧させ、前記貫通孔１２１は上蓋１１の貫通孔１１００に対応させ、且つボルト部材１５が貫設されることによりベース１０の対応台１０５の螺旋穴付スタッド１０５０の間に螺着される。
【００１８】
前記自動カセットモジュール１３はガン玉保存カセット１３０及び弾性プッシュモジュール１３１を有し、前記ガン玉保存カセット１３０は収納部１３００と、レール１３０１と、位置決め部１３０２と、突起部１３０３とを備える。前記収納部１３００は環状の板体であり、複数のガン玉２がその中に貫設され、且つガン玉２の溝方向の配列が一致するように保持される。前記レール１３０１は環状の壁面であり、弾性プッシュモジュール１３１のガン玉装填部材１３１１の凹部１３１１２に対応させる。前記位置決め部１３０２及び突起部１３０３は対応するフールプルーフ作用（Fool Proof）を有し、ベース１０の設置部１００の位置決め用ボス１０００及び切欠き１００１にそれぞれ対応させ、前記ガン玉保存カセット１３０はベース１０の設置部１００に対応させる。
【００１９】
前記弾性プッシュモジュール１３１は、案内固持部材１３１０とガン玉装填部材１３１１とスプリング１３１２と押止部１３１３とを備える。前記案内固持部材１３１０は環状のレールに近似し、その間にはスプリング１３１２、抑圧件１３１３、及びガン玉装填部材１３１１が貫設されると共に対応させ、案内固持部材１３１０の両端部はベース１０の抑圧用溝部１０６の嵌合部Ｃ１、Ｃ２中に嵌設されて固持させる。前記ガン玉装填部材１３１１は当接ブロックであり、プッシュ部１３１１０と抑圧部１３１１１と凹部１３１１２と貫通孔１３１１３とを有し、前記プッシュ部１３１１０は故障時には手動で押すことで輸送させることができる。前記抑圧部１３１１１はガン玉保存カセット１３０の収納部１３００に対応させると共にガン玉２に当接させるように使用され、前記凹部１３１１２は跨設されて定位され、且つガン玉保存カセット１３０のレール１３０１とベース１０のレール１０１との間に跨設され、ガン玉装填部材１３１１がレール１３０１、１０１に沿って滑動することによりガン玉２を装填させる。前記貫通孔１３１１３には案内固持部材１３１０が貫設され、ガン玉装填部材１３１１を安定的に滑動させる。前記スプリング１３１２は２つの部材が案内固持部材１３１０の間に貫設され、２つのスプリング１３１２の間には押止部１３１３が設けられてスプリング１３１２の変形率を低下させる支えとする。前記押止部１３１３は中心部が中空の抑圧部材であり、案内固持部材１３１０が穿通させると共に２つのスプリング１３１２の間に設置され、スプリング１３１２の端部を抑圧させ、スプリング１３１２の変形率を低下させる。前記弾性プッシュモジュール１３１はベース１０の抑圧用溝部１０６の間に設置されて対応させる。
【００２０】
前記搬送モジュール１４は、搬送ロッド部材１４０と位置決め部材１４１とプッシュロッド１４２とを備え、前記搬送ロッド部材１４０は、結合台１４００と第一合板１４０１と第二合板１４０２とを有する。前記結合台１４００は中空の矩形のブロック体であり、一端には上下に対応し合う第一合板１４０１及び第二合板１４０２が形成され、前記第一合板１４０１は結合台１４００の一端から延伸されると共に延伸される端部の箇所には溝部１４０１０が形成され、前記第二合板１４０２は結合台１４００の一端から延伸されると共に延伸される端部の箇所には溝部１４０２０が形成される。前記溝部１４０１０及び溝部１４０２０が対応し合うことにより空間Ａが形成され、前記空間Ａにはガン玉２が設置される。前記位置決め部材１４１は軸穴１４１０と、変位チャネル１４１１と、支持ロッド１４１２とを有し、前記軸穴１４１０はベース１０の位置決め用ピン１０３の間に対応させ、前記変位チャネル１４１１は搬送ロッド部材１４０の結合台１４００に連結され、且つプッシュロッド１４２の連動ロッド１４２０が貫設される。前記支持ロッド１４１２は軸穴１４１０の箇所から一端に向けて延伸される鉤状ロッドであり、前記支持ロッド１４１２の端部には板状の位置決め板１４１２０が形成され、前記位置決め板１４１２０はガン玉２の溝に嵌着されると共に開口方向に外側に向けて固持させる。前記プッシュロッド１４２は連動し、一端には柱状の連動ロッド１４２０が形成され、他端にはプッシュハンドル１４２１が形成される。前記連動ロッド１４２０は位置決め部材１４１の変位チャネル１４１１と搬送ロッド部材１４０の結合台１４００との間に貫設され、且つ変位チャネル１４１１を経路として搬送ロッド部材１４０が一端に向けて移動させる。
【００２１】
前記ボルト部材１５は各部材を固持させ、押し板１２の貫通孔１２１及び上蓋１１の貫通孔１１００に貫設され、且つベース１０の対応台１０５の螺旋穴付スタッド１０５０の間に螺着され、組み立てられる部材が固持させる。前述の各部材により、本考案に係るガン玉自動装填装置が釣りをする際に、前記ガン玉２が挟持空間に自動的に搬送されて準備され、ガン玉２が搬送されて釣り糸３の間に挟持されることにより使用上の利便性が向上する。
【００２２】
図２乃至図６に示されるように、本考案のガン玉自動装填装置は、主に小さいガン玉２がモジュール化されたカセットに設置され、自動的にガン玉２が輸送されて準備状態となり、使用効率及びカセット交換の利便性が向上する。前記ガン玉自動装填装置１は、ベース１０と上蓋１１と押し板１２と自動カセットモジュール１３と搬送モジュール１４とボルト部材１５とを備える。前記自動カセットモジュール１３及び搬送モジュール１４の相互の作動関係については後述する。
【００２３】
前記自動カセットモジュール１３はガン玉保存カセット１３０及び弾性プッシュモジュール１３１を有する。前記ガン玉保存カセット１３０は弧状体であり、且つ板状の収納部１３００及び弧状のレール１３０１が形成される。前記収納部１３００は複数のガン玉２の溝に嵌設され、前記レール１３０１は弾性プッシュモジュール１３１のガン玉装填部材１３１１に嵌設され、前記ガン玉装填部材１３１１はレール１３０１に沿って他端に向けて移動させ、ガン玉装填部材１３１１の抑圧部１３１１１及びガン玉２が当着されると共に一端に向けて当接させ、最も前端のガン玉２が搬送モジュール１４の搬送ロッド部材１４０の一端の空間Ａ中に搬送される。
【００２４】
前記自動カセットモジュール１３の弾性プッシュモジュール１３１は弾力により当接され、案内固持部材１３１０と、ガン玉装填部材１３１１と、スプリング１３１２と、押止部１３１３とを備える。図３に示されるように、前記案内固持部材１３１０は開放式の環状管柱体であり、一端にはスプリング１３１２、押止部１３１３、スプリング１３１２、及びガン玉装填部材１３１１が案内固持部材１３１０の間にそれぞれ順に貫設される。案内固持部材１３１０の両端部がベース１０の抑圧用溝部１０６の嵌合部Ｃ１と嵌合部Ｃ２との間に設置されると共に対応するように固持させる。
【００２５】
しかしながら、前記搬送モジュール１４は、搬送ロッド部材１４０と位置決め部材１４１とプッシュロッド１４２とを備える。前記搬送ロッド部材１４０には溝部１４０１０の第一合板１４０１及び溝部１４０２０の第二合板１４０２が形成される。前記溝部１４０１０及び溝部１４０２０が対応し合うことにより空間Ａが形成され、前記空間Ａにはガン玉２が設置される。前記ガン玉２が空間Ａに移送されると、前記ガン玉２の溝が位置決め部材１４１の支持ロッド１４１２の位置決め板１４１２０の間に嵌入され、前記位置決め板１４１２０はガン玉２の溝に嵌入されて挟持させ、前記溝が一端に向けて精確に定位される。
【００２６】
前記自動カセットモジュール１３及び搬送モジュール１４の組み合わせにより、前記ガン玉２は弾性プッシュモジュール１３１のスプリング１３１２によりガン玉装填部材１３１１が抑圧され、ガン玉装填部材１３１１の抑圧部１３１１１が複数のガン玉２を一端に向けて当接させ、最も前端のガン玉２が当接されることにより搬送モジュール１４の搬送ロッド部材１４０の端部の空間Ａ中に入れられ、ガン玉２が搬送される前に準備される。
【００２７】
図４乃至図７に示されるように、前記搬送モジュール１４はガン玉２を一端に向けて輸送させ、前記位置決め部材１４１及びプッシュロッド１４２が相互に連動されることにより、搬送ロッド部材１４０が一端に向けて移動させる。前記搬送モジュール１４は主にガン玉２が一端に搬送されると共に釣り糸３に対応させ、且つガン玉２の溝の位置は変位しない。前記搬送モジュール１４の位置決め部材１４１は軸穴１４１０と、変位チャネル１４１１と、支持ロッド１４１２とを有し、前記変位チャネル１４１１は弧状の中空孔であり、且つプッシュロッド１４２の連動ロッド１４２０は変位チャネル１４１１と搬送ロッド部材１４０の結合台１４００との間に貫設され、搬送ロッド部材１４０が連動されて作動する。
【００２８】
前記連動ロッド１４２０が貫設された後に輸送が作動される前には、変位チャネル１４１１の第一頂点ａ１の端に停留され、連動ロッド１４２０が輸送を作動させると、第一頂点ａ１の端から第二頂点ａ２の端まで移動させ、同時に前記位置決め部材１４１が軸穴１４１０を中心として一側に向けて回転させ、前記搬送ロッド部材１４０が前端に向けて移動させる。前記搬送ロッド部材１４の支持ロッド１４１２の位置決め板１４１２０がガン玉２を脱離させ、搬送ロッド部材１４０がガン玉２を釣り糸３の端に向けて前進させて対応させ、ガン玉２の溝が釣り糸３の間に嵌められる。
【００２９】
さらに、図７及び図８に示されるように、前記ベース１０の一端は挟持台１０４を有し、前記挟持台１０４の上端の左右両側にはボス１０４０が形成され、前記ボス１０４０と挟持台１０４の壁部１０４１との間にはスリットｂを有し、前記スリットｂは釣り糸３に設置され、搬送ロッド部材１４０がガン玉２を一端に向けて輸送させると、釣り糸３の間に嵌められる。
【００３０】
前記ガン玉２が釣り糸３の間に嵌められると、前記ガン玉２の縦方向の上端及び下端が搬送ロッド部材１４０の第一合板１４０１及び第二合板１４０２に挟持され、上蓋１１の間に設置される押し板１２から延伸される抑圧部材１２０が第一合板１４０１を抑圧させる。前記第二合板１４０２を抑圧端とし、前記ガン玉２の溝を抑圧させて僅かに密着させると共に釣り糸３の間に固持させる。これにより、前述の押し板１２、ガン玉カセットモジュール１３、及び搬送モジュール１４が応用されると、堅固に精確にガン玉２が釣り糸３の間に搬送されて狭着され、且つ連続的に高速に搬送狭着作業が実施され、作業効率が高まる。
【００３１】
以上、本考案の実施形態について図面を参照して詳述したが、具体的な構成はこの実施形態に限られるものではなく、本考案の要旨を逸脱しない範囲の設計変更等も含まれる。
【符号の説明】
【００３２】
１          ガン玉自動装填装置
１０        ベース
１００      設置部
１０００    位置決め用ボス
１００１    切欠き
１０１      レール
１０２      シュート
１０３      位置決め用ピン
１０４      挟持台
１０４０    ボス
１０４１    壁部
１０５      対応台
１０５０    螺旋穴付スタッド
１０６      抑圧用溝部
１１        上蓋
１１０      凹設部
１１００    貫通孔
１１０１    穿設部
１２          押し板
１２０      抑圧部材
１２１      貫通孔
１２２      中空部
１３        自動カセットモジュール
１３０      ガン玉保存カセット
１３００    収納部
１３０１    レール
１３０２    位置決め部
１３０３      突起部
１３１      弾性プッシュモジュール
１３１０    案内固持部材
１３１１    ガン玉装填部材
１３１１０  プッシュ部
１３１１１  抑圧部
１３１１２  凹部
１３１１３  貫通孔
１３１２    スプリング
１３１３    押止部
１４        搬送モジュール
１４０      搬送ロッド部材
１４００    結合台
１４０１    第一合板
１４０１０  溝部
１４０２    第二合板
１４０２０  溝部
１４１      位置決め部材
１４１０    軸穴
１４１１    変位チャネル
１４１２    支持ロッド
１４１２０  位置決め板
１４２      プッシュロッド
１４２０    連動ロッド
１４２１    プッシュハンドル
１５        ボルト部材
２          ガン玉
３          釣り糸
Ａ          空間
ｂ          スリット
ａ１        第一頂点
ａ２        第二頂点
Ｃ１        嵌合部
Ｃ２        嵌合部
【図１】
0003210851.tif 000003
【図２】
0003210851.tif 000004
【図３】
0003210851.tif 000005
【図４】
0003210851.tif 000006
【図５】
0003210851.tif 000007
【図６】
0003210851.tif 000008
【図７】
0003210851.tif 000009
【図８】
0003210851.tif 000010